(57)【要約】      （修正有）【課題】強磁性体製の壁面等に対して、製造原価が低くて済む磁石製装飾板を使い自由な意匠表現にて磁気吸着させることができる磁石式装飾板表示機構を提供する。【解決手段】正方形でなる本体２の一辺の中央に対し同一形状で上面がＮ極露出状態の磁石とＳ極露出状態の磁石とを対称の位置となるよう配置し、他の辺もそれと同一に磁石を配置してなる磁石式装飾板１ａと、同一構成でなる多数磁石式装飾板１ｂ〜１ｉとを、強磁性体製の壁面６３に磁気吸着させる構成とする。各磁石式装飾板の辺同士は同一の磁石配置となっているため適宜の方向で隙間なく磁気吸着する。【選択図】図１０
0003161699.tif 000002
【実用新案登録請求の範囲】
【請求項１】
板状の多角形でなる本体の一辺の中央に対し、同一形状でなる磁石を、上面がＮ極露出状態とＳ極露出状態とを対称の位置となるよう配置し、他の辺もそれと同一に磁石を配置してなる磁石式装飾板を多数個使用し、
各磁石式装飾板における任意の一辺同士が磁気吸着可能な特性を利用して各磁石式装飾板同士を自由な方向で隙間なく磁気吸着させることにより、
強磁性体製でなる壁面に対して自由な意匠表現にて磁気吸着させることを可能としたことを特徴とする磁石式装飾板表示機構
【請求項２】
磁石式装飾板における磁石は、Ｎ極露出状態とＳ極露出状態とを密着させた状態で配置したことを特徴とする請求項１に記載の磁石式装飾板表示機構
【請求項３】
磁石式装飾板における磁石は、Ｎ極露出状態とＳ極露出状態とを間隙をもたせた状態で配置したことを特徴とする請求項１に記載の磁石式装飾板表示機構
【請求項４】
磁石式装飾板における磁石は、Ｎ極露出状態とＳ極露出状態との配置ピッチを一定とし、交互に４ヶ所以上偶数個形成したことを特徴とする請求項２または請求項３のいずれか１項に記載の磁石式装飾板表示機構
【請求項５】
磁石式装飾板における本体は、正方形でなることを特徴とする請求項１〜４のいずれか１項に記載の磁石式装飾板表示機構
【請求項６】
磁石式装飾板は、本体の各辺に磁石を配置した状態で、内面側に粘着剤が塗布され、且つ、表面が自由に印刷された装飾シールにて、全体を上記粘着剤で固定するように覆わせて構成させたことを特徴とする請求項１〜５のいずれか１項に記載の磁石式装飾板表示機構
【考案の詳細な説明】
【技術分野】
【０００１】
本考案は、強磁性体製でなる壁面等に対して装飾板を磁気吸着にて取り付けてなる磁石式装飾板表示機構に関するものである。
【背景技術】
【０００２】
磁石式装飾板については、例えば、出願人の発明にかかる特許文献１に開示された構成の表装用複合タイルが公知のものとなっている。
そして、この構成は、タイルの裏面に、縞状の多極着磁を施したシート状磁石を、その先端と下端とが異極となるようにして貼り合せたものとなっており、表装用複合タイルの下端の磁極と、同様に構成された表装用複合タイルの上端の磁極とは異極同士となっているため、表装用複合タイル同士は、上下方向に確実に、磁気吸着にて連続的に接合させることができる機能を備えたものとなっている。
従って、各表装用複合タイルは、上下方向に隙間なく接合させた状態で、強磁性体製の壁面に対して磁気吸着させることが可能となっている。
【先行技術文献】
【特許文献】
【０００３】
【特許文献１】特開２０００−３２８７５９
【考案の概要】
【考案が解決しようとする課題】
【０００４】
しかしながら、特許文献１の技術においては、タイルの裏面の全面に磁石シートを貼着させるため、表装用複合タイルが大型化してくると、汎用の材料より高額な磁石シートの使用量も増大し、生産コストが向上してしまう不都合が生じることになる。
【０００５】
また、表装用複合タイル同士を連続的に磁気吸着にて接合できる利点はあるが、これは、あくまでも上下の一方向に限られており、例えば表装用複合タイルの下端に対して、同一仕様でなる別の表装用複合タイルの下端を近付けると、同極のため反撥して磁気吸着させることはできないという不都合があった。
なお、左右方向は、多数の縞状磁極の端面が表れたものであるため、磁気吸着が上下方向のような確実性には乏しいと共に、この方向においても、磁気吸着する場合と、磁気反撥する場合とがあるため、接合には注意が必要となっていた。
【０００６】
このように、特許文献１に記載されている表装用複合タイルは、表装用複合タイル同士で磁気吸着にて接合できるものの、使用できる方向性が限られているので、取扱いに注意が必要であるのと、必然的に、自由な位置で接合することは困難であり、強磁性体製でなる壁面に、多数の表装用複合タイルを貼着させる場合に、表面のデザインや色が異なる同一仕様の表装用複合タイルを多数使用しても、表現できる壁面の全面意匠は制約されたものとなっていた。
【０００７】
そこで、本考案は、大型化しても使用する磁石の量を増大させずに済むことで製造原価を抑えることができ、しかも、多数個使用する場合でも自由な方向で磁気吸着させることができる磁石式装飾板を技術的に創作すると共に、その磁石式装飾板を多数個使用して、強磁性体製の壁面等に対して、自由な意匠表現にて磁気吸着させることができる磁石式装飾板表示機構を提供することを課題とする。
【課題を解決するための手段】
【０００８】
本考案は、板状の多角形でなる本体の一辺の中央に対し、同一形状でなる磁石を、上面がＮ極露出状態とＳ極露出状態とを対称の位置となるよう配置し、他の辺もそれと同一に磁石を配置してなる磁石式装飾板を多数個使用し、各磁石式装飾板における任意の一辺同士が磁気吸着可能な特性を利用して各磁石式装飾板同士を自由な方向で隙間なく磁気吸着させることにより、強磁性体製でなる壁面に対して自由な意匠表現にて磁気吸着させることを可能とした磁石式装飾板表示機構とすることにより実現できる。
【０００９】
この構成によれば、磁石式装飾板における磁石は、各辺に取り付けるだけでよいので、従来の本体の裏面全体に取り付ける構成に比べて使用量を大幅に減らすことができ、しかも、本体を大型化しても、その表面積の増加分の使用量を増加させる必要はなく、増加無し或いは少量の増量で良いため、生産コストを抑えることができる。
【００１０】
また、この構成による磁石式装飾板は、各辺の中央における磁石の配置状態が同じとなるので、他の磁石式装飾板は、どの面においても同じ状態で磁気吸着させることができるという作用を有することができる。
より詳しく述べると、磁石式装飾板の側面における磁気吸着作用は、正方形の磁石式装飾板を例にとると、左辺が上からＳ極露出状態・Ｎ極露出状態であると、右辺は上からＮ極露出状態・Ｓ極露出状態となるので、同一構成の正方形の磁石式装飾板は右辺に対して異極同士で確実に磁気吸着する。
そして、上述の通り、他の３辺も同様な磁気吸着関係となっているので、結局、同一構成の正方形の磁石式装飾板同士は、上下左右に隙間なく連続して磁気吸着させることができるという利点が生じている。
【００１１】
また、磁石式装飾板の上面に表れる磁極と、下面を裏返した時に表れる磁極は同じとなるので、これらを総合すると、この構成における磁石式装飾板は、同一構成の場合、各側面同士を、裏表を問わずに自由な角度で磁気吸着させることができるという利点を有している。
従って、各磁石式装飾板は、強磁性体製の壁面等に対して、自由な意匠表現にて磁気吸着にて取り付けることができる。
特に、各磁石式装飾板の表面における色柄を複数種類として、夫々多数個用意していておくと、その効果は顕著なものとなる。
【００１２】
その構成において、磁石式装飾板における磁石は、Ｎ極露出状態とＳ極露出状態とを密着させた状態で配置するようにすると、比較的小型の磁石式装飾板に応用することができる。
【００１３】
反対に、比較的大型の磁石式装飾板には、磁石は、Ｎ極露出状態とＳ極露出状態とを間隙をもたせた状態で配置するようにするとよい。
【００１４】
なお、磁気吸着力を向上させたり、かなり大型の磁石式装飾板とする場合には、磁石は、Ｎ極露出状態とＳ極露出状態との配置ピッチを一定とし、交互に４ヶ所以上偶数個形成するようにすればよい。
【００１５】
また、本考案における磁石式装飾板の本体の形状は、各種の形態で実施できるが、正方形が最も作製しやすく、利用しやすい形態となる。
【００１６】
そして、磁石式装飾板は、本体の各辺に磁石を配置した状態で、内面側に粘着剤が塗布され、且つ、表面が自由に印刷された装飾シールにて、全体をその粘着剤で固定するように覆わせて構成させてもよい。
【００１７】
このようにすると、本体が表面に表れないので廉価な材料を使用することができ、一方、表面全体は自由に印刷された装飾シールで覆うことができるので、低コストで装飾性の高い磁石式装飾板とすることができる。
【考案の効果】
【００１８】
磁石式装飾板の各辺に磁石を配置する構成であるため、磁石の使用量が少なく、この関係は磁石式装飾板が大型化しても殆ど変わらないため、製造原価を抑えることができる。
また、板状の多角形でなる本体の各辺の中央に対し、同一形状でなる磁石を、上面がＮ極露出状態とＳ極露出状態とを対称の位置となるよう配置したので、各辺の磁石配置は同一であり、その結果、他の磁石式装飾板はどの辺に対しても磁気吸着が可能となり、さらに、磁石式装飾板は裏返しても同様に使用できるところから、多数の磁石式装飾板同士を磁気吸着にて自由に連結することができる。
それに伴い、磁石式装飾板を多数の色柄で夫々多数個用意すれば、その組み合わせで自由な意匠を創作できるので、表現豊かな壁面装飾を行うことができる。
【図面の簡単な説明】
【００１９】
【図１】本考案における磁石式装飾板を示す実施例１の分解斜視図を表わしたものである。
【図２】本考案による実施例１の完成状態の斜視図を表わしたものであり、（ａ）は裏面から見た状態、（ｂ）は表面から見た状態を示す。
【図３】本考案による実施例１のＹ−Ｚ断面図を示す。
【図４】本考案による実施例１における装飾シールの斜視図を表わしたものであり、（ａ）は表面から見た状態、（ｂ）は裏面から見た状態を示す。
【図５】本考案の実施例１を作製するための組み立て治具の斜視図を表わしたものである。
【図６】本考案による実施例１の組み立て工程を示す斜視図であり、（ａ）は本体配置状態、（ｂ）は磁石配置状態を示す。
【図７】本考案による実施例１の装飾シールの取り付け説明用の斜視図を示す。
【図８】本考案による実施例１の装飾シールの初期貼着状態の斜視図を示す。
【図９】本考案による実施例１の装飾シールの最終取り付けまでの工程を表わす斜視図であり、（ａ）は初期貼着状態を内面から見た状態、（ｂ）中間取り付け状態、（ｃ）は最終取り付け直前の状態を示す。
【図１０】本考案による実施例１の磁気吸着作用を示す説明図であり、（ａ）は全側面の磁気吸着作用を表わす平面図、（ｂ）は他の磁気吸着作用を表わす平面図を示す。
【図１１】本考案による実施例１の多角形状の変形例を表した平面図であり、（ａ）は正三角形の磁石式装飾板、（ｂ）は二等辺直角三角形の磁石式装飾板、（ｃ）は３０度６０度の直角三角形の磁石式装飾板、（ｄ）は正五角形の磁石式装飾板、（ｅ）は正六角形の磁石式装飾板、（ｆ）は正三角形の物を合成した正六角形の磁石式装飾板を示す。
【図１２】本考案による他の実施例を表わす平面図であり、（ａ）は実施例２、（ｂ）は実施例３を示す。
【図１３】本考案による実施例４を表わす平面図を示す。
【図１４】本考案による磁石式装飾板表示機構を表わす実施例５のうち、隙間なく磁石式装飾板を貼着した場合の説明図であり、（ａ）は平面図、（ｂ）はＶ−Ｗ断面図を示す。
【図１５】本考案による磁石式装飾板表示機構を表わす実施例５のうち、磁石式装飾板を自由な位置に貼着した場合の説明図を示す。
【図１６】本考案による実施例１における構成の変形例を表した斜視図であり、（ａ）変形例１、（ｂ）は変形例２の表面から見た斜視図、（ｃ）は変形例２の底面からみた斜視図を示す。
【考案を実施するための形態】
【００２０】
本考案は、板状の多角形でなる本体の一辺の中央に対し、同一形状でなる磁石を、上面がＮ極露出状態とＳ極露出状態とを対称の位置となるよう配置し、他の辺もそれと同一に磁石を配置してなる磁石式装飾板を多数個使用し、各磁石式装飾板における任意の一辺同士が磁気吸着可能な特性を利用して各磁石式装飾板同士を自由な方向で隙間なく磁気吸着させることにより、強磁性体製でなる壁面に対して自由な意匠表現で磁気吸着させることができることを基本構成とした磁石式装飾板表示機構であり、以下、実施例に沿って詳細に説明していく。
【実施例１】
【００２１】
図１は、本考案の磁石式装飾板表示機構に使用する磁石式装飾板を示すところの実施例１の分解斜視図を表わしたものである。
即ち、磁石式装飾板１は、本体２と、８個の磁石４，４，４．．．と、内面側に粘着剤６が設けられた装飾シール５とで構成される。
【００２２】
本体２は、ボール紙合紙製で、厚さが略３ｍｍ、１辺の長さが略５５ｍｍの正方形の板状のものとなっており、外周を形成する各辺の中央には、夫々二つの磁石４，４が挿入される取り付け凹部３，３，３，３が形成されている。
なお、この部材は、最終的には外観に露出しない部材となるため、形状を保つことができるという条件で、適宜の材料を使用することができる。
【００２３】
磁石４は、幅１０ｍｍ、奥行４ｍｍ、厚さ３ｍｍ程度の大きさで、上下（厚み方向）に磁化容易軸を配向した異方性ストロンチュム系焼結フェライト品を、上下（厚み方向）に着磁処理したものを使用する。
【００２４】
但し、使用に当たっては、図１中にハッチングを施したＮ極が上面に露出し、下面にＳ極露出する４Ｎの形態と、ハッチングを施したＮ極が下面に露出し、上面にはＳ極露出する４Ｓの形態に使い分ける。
即ち、本体２における任意の一辺の取り付け凹部３に対して、正面から見て、左側に４Ｓ、右側に４Ｎを連なる状態に挿入し、他の三辺についても同様に挿入することになる。
【００２５】
装飾シール５は、厚さ約０．１ｍｍ程度で、代表的な材料として、表面の印刷が可能なプラスチックフィルムや合成紙、紙等を使用し、このうち合成紙や紙等は、必要に応じて、ポリプロピレンフィルム等をラミネートした材料を使用する。
但し、表示が可能で、簡単に破れないものであれば、これらに限らず適宜な材料を使用しても構わない。
【００２６】
なお、装飾シール５の形状は、図１に示すように、本体２が載置できるスペースの外側に、本体２の厚さ寸法分が確保され、さらにその外側に、本体２の裏面に取り付けるための四つの覆い片が形成されている。
具体的には、図４（ａ）の表面から見た斜視図状態に示すように、左覆い片５ａ、右覆い片５ｂ、上部覆い片５ｃが、幅を夫々１０ｍｍ程度として形成されており、さらに、下部覆い片５ｄが幅５１ｍｍ程度に形成される。
また、これらの各覆い片のコーナーは、装着時のはみ出しを防ぐと共に見栄えを良くするため、直線的な面取りやアール状の面取りを施している。
さらに、各覆い片の根元が交差する部分には、本体２の四隅の角の露出を防止するために、切り込み５ｅ１，５ｅ２，５ｅ３，５ｅ４を介して、その順に、角部覆い片５ｆ１，５ｆ２，５ｆ３，５ｆ４を設けた形態となっている。
【００２７】
そして、表面には、図４で、Ａと表記しているような印刷が施され、裏面には、図４（ｂ）の裏面から見た斜視図に示すように、感圧接着剤とも表現されるところの、粘着剤６が全面に塗布されている。
また、粘着剤６の上面には、使用時までの保護用に剥離紙７を使用している。
但し、この剥離紙７は、一度に全てを取り去るのではなく、図４（ｂ）に破線で示すような下部剥離紙７ａを残すように剥がしたほうが、装飾シール５の取り付け作業が行いやすくなるので、そのように千切って使用するのが好ましく、千切り易くするために、必要に応じてこの剥離紙７に図示しない切り込みを入れておいてもよい。
【００２８】
次に、磁石式装飾板１の組み立て方法について説明する。
【００２９】
図５は、磁石式装飾板１の組み立て治具８の斜視図を表わしたものである。
具体的には、基盤９の上面の、左側に剥離紙下部当て板１０、下部左寄りに剥離紙側部当て板１１、右下コーナーに本体角部当て板１２、右側に本体側部当て板１３、下部中央部に本体下部当て板１４を設けた構成となっている。
なお、剥離紙下部当て板１０の高さＣ１、剥離紙側部当て板１１の高さＣ２は、本体２より若干高めに形成され、本体角部当て板１２の高さＤ１、本体側部当て板１３の高さＤ２、本体下部当て板１４の高さＤ３は、本体２の厚さよりより若干低めの寸法とするのが好ましく、その他の寸法は作業性を考慮して適宜選択すればよく、材質についても同様である。
【００３０】
そして、先ず、図６（ａ）の本体配置の斜視図に示すように、組み立て治具８における本体角部当て板１２、本体側部当て板１３、本体下部当て板１４の内側に、本体２の側面を当接して配置する。
次に、図６（ｂ）の磁石配置の斜視図に示すように、本体２に設けられた取り付け凹部３，３，３，３に対して、夫々、磁石４Ｓ、磁石４Ｎが正面から見て同じ配置となるようにして挿入する。
【００３１】
なお、この図も含めてこれ以降の図においては、磁石４Ｓ及び磁石４Ｎの記載は、必要以外は省略し、代わって表面に露出する磁極であるＳ及びＮを表示することとする。
【００３２】
次に、図７の装飾シール５の取り付け説明用の斜視図に示すように、下部剥離紙７ａを残すようにして粘着剤６を塗布した内面が露出した状態の装飾シール５を、その内面側が下になるようにして、下部剥離紙７ａの剥離紙下部７ｂを剥離紙下部当て板１０の内面１０ａに当接させ、剥離紙側部７ｃを剥離紙側部当て板１１の内面１１ａに当接させるように、磁石４，４，４．．．を嵌合してある本体２の表面に押し付けると、図８の装飾シール５の粘着状態の斜視図に示すように、装飾シール５は、所定の位置に粘着状態で取り付けられることになる。（図９（ａ）参照）
【００３３】
図９は、装飾シール５の最終までの取り付け、即ち、磁石式装飾板１の完成までの工程の斜視図を表わしたものである。
図９（ａ）は、磁石を嵌合した状態の本体に装飾シールを粘着にて取り付けた状態を示した斜視図であり、前述の図８の状態を裏向けた状態ということになる。
この図に表れるように、装飾シール５、本体２、磁石４，４，４．．．、は粘着剤にて相互に位置決めされて取り付けられているので、後は、本体２、磁石４，４，４．．．、が露出しないように装飾シール５で覆えば完成することになる。
【００３４】
具体的には、図９（ａ）の状態から、矢印で示すように、左覆い片５ａ、及び、右覆い片５ｂを本体２の裏面に粘着にて取り付ける。（図９（ｂ）参照）
次に図９（ｂ）の斜視図の状態から、角部覆い片５ｆ１，５ｆ２を本体２の上部の側面に粘着させ、その上から、上部覆い片５ｃを本体２の裏面に粘着にて取り付ける。（図９（ｃ）参照）
そして図９（ｃ）の斜視図の状態から、角部覆い片５ｆ３，５ｆ４を本体２の下部の側面に粘着させ、その上から、下部覆い片５ｄを本体２の裏面に粘着にて取り付けると、図２（ａ）の裏面から見た完成状態の斜視図に示すように、磁石式装飾板１が完成する。
【００３５】
なお、図２（ｂ）は表面から見た完成状態の斜視図であり、Ａで示すような印刷面が表示できることになる。
【００３６】
また、図３は図２（ａ）におけるＹ−Ｚ断面図を表わしたものであり、本体２の４辺の各側面中央には、正面から見て、左側に上面がＳ極に着磁された磁石４Ｓ、右側に上面がＮ極に着磁された磁石４Ｎとなるように配置された状態で、装飾シール５にて覆われて固定されている状態が示されている。
【００３７】
次に、磁石式装飾板の磁気吸着作用について図１０を使って説明する。
図１０（ａ）は、磁石式装飾板の全側面の磁気吸着作用を示す平面図である。
即ち、正方形でなる磁石式装飾板１ａの四辺における磁気吸着状況を表したものであり、この図で表されるように、表面にＡの表示がなされた磁石式装飾板１ａの左辺には上からＳ極露出状態・Ｎ極露出状態に磁石が配置されている。
この状態は、左辺を正面から見ると左側にＳ極露出状態の磁石、右側にＮ極露出状態の磁石が配置されていることになるので、右辺においても同様に正面から見て左側にＳ極露出状態の磁石、右側にＮ極露出状態の磁石を配置すると、右辺は、上からＮ極露出状態・Ｓ極露出状態に磁石が配置された状態になる。
従って、磁石式装飾板１ａの右辺に対して、同一構成でなる磁石式装飾板１ｂの左辺を近接させると異極同士で確実に磁気吸着にて接合される。
【００３８】
なお、他の三辺についても、図１０（ａ）に表わされるように、同様な磁気吸着関係となるので、磁石式装飾板１ａの四辺には、磁石式装飾板１ｂ，１ｃ，１ｄ，１ｅが、上下方向を揃えて、即ち表示されたＡの文字が同じ方向を向くようにして磁気吸着にて接合することができる。
【００３９】
但し、各磁石式装飾板１ａ，１ｂ，１ｃ，１ｄ，１ｅにおける夫々の四辺の磁石の配置状態は、全く同一であるので、図１０（ｂ）に表わす他の磁気吸着作用を示す平面図に示すように、Ａの方向は気にすることなく、自由な方向で磁気吸着することができる。
【００４０】
また、図１０（ａ）における四隅にも、他の磁石式装飾板を磁気吸着させることができ、本図においては右上の隅１５ｆに、磁石式装飾板１ｆを磁気吸着にて接合している。
なお、各磁石式装飾板は、裏返しても、上面には裏返さない時と同じ磁極が表れるので、他の隅である１５ｇ，１５ｈ，１５ｉに対して、裏返した状態の磁石式装飾板１ｇ，１ｈ，１ｉも磁気吸着にて接合することが可能である。
【００４１】
そして、このように各磁石式装飾板を磁気吸着力にて接合した状態で、後述するように強磁性体製の壁面６３に磁気吸着にて取り付けることができることになる。
従って、本実施例１の構成でなる各磁石式装飾板同士は、各辺の位置や裏表に関係なく、各辺同士で磁気吸着することができるのという大きな特徴を有している。
【００４２】
次に、磁石式装飾板の形状について説明する。
実施例１における磁石式装飾板の形状は、正方形であったが、本発明における磁石式装飾板の形状は、それ以外に変形して実施することができる。
図１１（ａ）〜（ｆ）はその変形例を表した平面図であり、図１１（ａ）は正三角形の磁石式装飾板３１、図１１（ｂ）は二等辺直角三角形の磁石式装飾板３２、図１１（ｃ）は３０度６０度の直角三角形の磁石式装飾板３３、図１１（ｄ）は正五角形の磁石式装飾板４１、図１１（ｅ）は正六角形の磁石式装飾板４２を表している。
【００４３】
また、図１１（ｆ）は正三角形の物を合成した正六角形の磁石式装飾板４３であり、図１１（ａ）で表わした正三角形の磁石式装飾板３１を６枚を接合して作成している。
このように、合成した多角形状で実施しても良いし、ここに表れない多角形状で実施しても構わない。
【００４４】
但し、各多角形状の磁石式装飾板における辺の長さは、後述するように、Ｌまたはその整数倍の長さで形成するのが好ましい態様となる。
【００４５】
本考案における磁石４の配置は、実施例１に示したように、磁石式装飾板の各辺の中央に、Ｎ極が上面に露出する状態と、Ｓ極が上面に露出する状態とを並べて配置することを基本とするが、各種に変形して実施することが可能であり、以下、その代表的な実施例について、説明していく。
【実施例２】
【００４６】
図１２（ａ）は、実施例２を表した平面図であり、正方形の磁石式装飾板２２における各辺の中心から距離Ｋでなる対称の位置に、正面から見て左側にＳ極が上面に露出する状態と、右側にＮ極が上面に露出する状態とを配置した状態としている。
このような配置にしても、同様に作製した他の正方形の磁石式装飾板２２における各磁石とは、正しく対峙する関係となるので、磁気吸着作用は実施例１と変わることはない。
【００４７】
ただ、磁石式装飾板を大きな寸法とする場合は、実施例１のように辺の中心のみでおこなうより、本実施例のように、Ｓ極が上面に露出する状態と、Ｎ極が上面に露出する状態とを配置した状態とを、辺の中央から対称の位置に間隙をもたせたほうが、バランス良く磁気吸着させることができて、好適である。
【００４８】
なお、その場合、図１２（ａ）の右辺に示すように、各磁石は、一辺の長さＬに対し、端からＬ／４中心寄りに降った位置、即ち中心からもＬ／４端側に寄った位置に配置すると、後述するように、他の形状の磁石式装飾板直見合わせて使用するのに、好ましい態様となる。
【実施例３】
【００４９】
図１２（ｂ）は、実施例３を表した平面図である。
実施例３の磁石式装飾板２３は、実施例１のように磁石式装飾板の各辺の中央に、Ｎ極が上面に露出する状態と、Ｓ極が上面に露出する状態とを並べて配置した状態から、さらにその両側に、上面に露出する磁極が異なる状態の磁石を夫々１個、並べて配置する構成となっている。
このような構成とすると、磁石式装飾板２３同士の磁気吸着力を向上させることが可能となる。
ちなみに、さらに磁石数を増やす場合は、上面の露出する磁極が反対となるように増加させていけばよい。
【００５０】
なお、この実施例においても、実施例２に開示したように、各辺の中心から対称に磁石を配置することを前提として、各磁石間に間隙をもたせるようにしてもよい。
【実施例４】
【００５１】
次に、複数の形状の磁石式装飾板を組み合わせて使用する一例を説明する。
図１３は実施例４を表わす平面図であり、この図に示されるように、実施例４は、正方形の磁石式装飾板５１、直角二等辺三角形の磁石式装飾板５２，５２、長方形の磁石式装飾板５３とで構成されている。
【００５２】
なお、長方形の磁石式装飾板５３については、磁石の配置の記載は省略するが、想像線で示すように、大きな直角三角形の磁石式装飾板５３ａ，５３ａを組み合わせて作製してもよい。
また、大きな直角三角形の磁石式装飾板５３ａ，５３ａを、図１３の構成に加えることも、勿論可能である。
【００５３】
なお、各辺の長さは、ＬまたはＬの整数倍を基本としており、そのＬは、両端からＬ／４の位置に夫々表面に露出する磁極が反対となるように磁石を配置し、両磁石間のピッチは必然的にＬ／２と長さとなるように構成されている。
ちなみに、正方形の磁石式装飾板５１の一辺はＬ、直角二等辺三角形の磁石式装飾板５２の一辺はＬ，長方形の磁石式装飾板５３の短辺はＬ、長辺は２Ｌとなっている。
このように、各磁石式装飾板長さを設定すると、二つの磁石式装飾板の側面同士を近接させたとき、端面が一致した状態で、そこに配置された磁石は必ず反対の極性の磁石と磁気吸着することになるので、好適である。
なお、この特性は、この図に開示されていない多角形状の磁石式装飾板にも適用することは当然に可能である。
【００５４】
但し、辺の長さを、この図におけるＬ、または、Ｌの整数倍に設定できない形状も存在し、例えば、図中、直角二等辺三角形の磁石式装飾板５２，５２における斜辺は、各辺の長さＬに２の平方根を乗ずる寸法になり、整数倍にすることは不可能である。
このような場合は、斜辺同士で特定の磁石配置を行うしかないが、その場合でも、これまで説明したように、磁石の配置は斜辺の中心から対称位置に反対の磁極が露出するように配置し、磁石間のピッチも、この図におけるＬ／２の寸法で行うのが、他の磁石式装飾板の磁気吸着が可能となるので、そのように構成するのが好ましい。
【実施例５】
【００５５】
次に、これまで説明した、磁石式装飾板を用いた磁石式装飾板表示機構を示した実施例５について、図１４、図１５を用いて説明する。
図１４は、隙間なく磁石式装飾板を貼着した磁石式装飾板表示機構としての磁石式装飾板表示壁を表したものであり、図１４（ａ）は平面図、図１４（ｂ）はＶ−Ｗ断面図を示したものである。
【００５６】
即ち、磁石式装飾板表示壁６１は、枠体６３ａ付きの強磁性体製壁面６３に対して、濃色でなる正方形の磁石式装飾板２１ａ、淡色でなる正方形の磁石式装飾板２１ｂ、濃色でなる直角二等辺三角形の磁石式装飾板３２ａ、淡色でなる直角二等辺三角形の磁石式装飾板３２ｂ、を夫々多数個使用し、左側に市松模様、右側に０の数字を浮き出させると共に隙間なく磁気貼着させた状態を示している。
【００５７】
この、各磁石式装飾板を強磁性体製壁面６３に磁気吸着させる作業は、まず、枠体６３ａにおける任意の一または二の辺の内側に沿って、磁石式装飾板を一列磁気吸着にて取り付ける。
後は、これら取り付けられた磁石式装飾板の解放されている辺に対して、他の磁石式装飾板を磁気吸着にて接合するようにしていくだけで、簡単、且つ、隙間が生じることなく綺麗に磁石式装飾板表示壁６１を完成させることができる。
【００５８】
なお、この実施例では少ない種類の磁石式装飾板を使用したが、前述したように各種の磁石式装飾板を使用してよいことは言うまでもない。
【００５９】
一方、図１５は、磁石式装飾板の組み合わせ物を自由な位置に貼着した、磁石式装飾板表示機構としての磁石式装飾板表示壁を表した平面図を示したものである。
即ち、この磁石式装飾板表示壁６２は、枠体６３ａ付きの強磁性体製壁面６３に対して、正三角形の磁石式装飾板３１，３１からなるダイヤ型６５、正三角形の磁石式装飾板３１を４個と正方形の磁石式装飾板２１とからなる星形６６、正三角形の磁石式装飾板３１を５個と正五角形の磁石式装飾板４１とからなる星形６７、正三角形の磁石式装飾板３１を６個と正六角形の磁石式装飾板４２とからなる星形６８とが磁気吸着にて取り付けられている。
また、正三角形の磁石式装飾板３１を１２個、３０度６０度の直角三角形の磁石式装飾板３３を６個、二等辺直角三角形の磁石式装飾板３２を４個、正方形の磁石式装飾板２１を多数個使用した鉢植え花の図形６９も、取り付けられている。
このように、各種の磁石式装飾板を組み合わせて各辺同士を磁気吸着で接合すると、多種の図形が隙間なく綺麗に出来上がるので、この状態のまま磁石式装飾板表示壁６２に自由な角度で取り付けることができるという、利用も可能となる。
【００６０】
なお、この自由度を生かしつつ、隙間部分に、他の磁石式装飾板を隙間なく配置する、即ち、上記図１４（ａ）から、より図案化した状態に仕上げてよいことは勿論のことである。
【００６１】
本考案は、各種に変形することが可能であり、これまでに説明した各実施例や変形例に示されていない構成も、主旨を逸脱しない範囲で実施することができる。
例えば、磁極であるＮ及びＳの配置は、これまで述べた内容とは反対の磁極として実施してもよい。
【００６２】
また、磁石式装飾板の構成は、例えば図１６（ａ）の変形例１の斜視図に示すように、磁石式装飾板７１を、各辺に磁石収納溝７１ｂを設けた樹脂製の成型品でなる本体７１ａと、そこに挿入し接着等で取り付ける四対の磁石４Ｎ，４Ｓとで構成してもよい。
また、図１６（ｂ）の表面から見た斜視図、図１６（ｃ）の底面からみた斜視図で示す変形例２のように、本体７２ａを表面が膨らみをもった陶磁器製のものとして各辺には底面が解放した磁石収納凹部７２ｂを設け、そこに磁石４Ｎ，４Ｓを挿入し接着等で取り付ける構成の磁石式装飾板７２としてもよい。
このように、磁石式装飾板は、多角形状で磁石の配置状態を確保でき、強磁性体製壁面に磁気吸着可能であれば、具体的な構成、使用材料、形状等は、適宜に選択して実施することができる。
【産業上の利用可能性】
【００６３】
本考案による磁石式装飾板表示機構は、磁石式装飾板同士を磁気吸着力で接合した状態で、強磁性体製の壁面に磁気吸着力にて、簡単に取り付けることができる構成となっている。
しかも、磁石式装飾板同士を、方向や裏表に関係なく磁気吸着にて接合できるので、自由な組み合わせが可能で、装飾性の高い意匠の壁面に仕上げることができる。
また、強磁性体製壁面は小面積から大面積に至るまで利用することができる。
従って、一般建築物の壁面装飾に使用したり、学習の一環として教育施設の壁面に使用したり、幅広く活用することができる。
【符号の説明】
【００６４】
Ｎ  磁石のＮ極
Ｓ  磁石のＳ極
Ｃ１、Ｃ２  （剥離紙側部当て板の）高さ
Ｄ１、Ｄ２、Ｄ３  （本体側部当て板の）高さ
Ａ  表面の表示
１、１ａ、１ｂ、１ｃ、１ｄ、１ｅ、１ｆ、１ｇ、１ｈ、１ｉ  磁石式装飾板
２  本体
３  取り付け凹部
４  磁石
４Ｎ  Ｎ極を上面に露出させた磁石
４Ｓ  Ｓ極を上面に露出させた磁石
５  装飾シール
５ａ  左覆い片
５ｂ  右覆い片
５ｃ  上部覆い片
５ｄ  下部覆い片
５ｅ１、５ｅ２、５ｅ３、５ｅ４  切り込み
５ｆ１、５ｆ２、５ｆ３、５ｆ４  角部覆い片
６  粘着剤
７  剥離紙
７ａ  下部剥離紙
７ｂ  剥離紙下部
７ｃ  剥離紙側部
８  組み立て治具
９  基盤
１０  剥離紙下部当て板
１０ａ  内面
１１  剥離紙側部当て板
１１ａ  内面
１２  本体角部当て板
１３  本体側部当て板
１４  本体下部当て板
１５ｆ、１５ｇ、１５ｈ、１５ｉ  隅
２１  正方形の磁石式装飾板
２１ａ  濃色でなる
２１ｂ  淡色でなる正方形の磁石式装飾板
２２、２３  （磁石配置の異なった）正方形の磁石式装飾板
３１  正三角形の磁石式装飾板
３２  二等辺直角三角形の磁石式装飾板
３２ａ  濃色でなる直角二等辺三角形の磁石式装飾板
３２ｂ  淡色でなる直角二等辺三角形の磁石式装飾板
３３  ３０度６０度の直角三角形の磁石式装飾板
４１  正五角形の磁石式装飾板
４２  正六角形の磁石式装飾板
４３  正三角形の物を合成した正六角形の磁石式装飾板
５１  正方形の磁石式装飾板
５２  直角二等辺三角形の磁石式装飾板
５３  長方形の磁石式装飾板
５３ａ  想像線で分割される直角三角形
６１、６２  磁石式装飾板表示壁
６３  強磁性体製壁面
６３ａ  枠体
６５  ダイヤ型
６６、６７、６８  星形
６９  鉢植え花の図形
７１、７２  （他の構成の）磁石式装飾板
７１ａ  磁石収納溝
７２ｂ  磁石収納凹部
【図１】
0003161699.tif 000003
【図２】
0003161699.tif 000004
【図３】
0003161699.tif 000005
【図４】
0003161699.tif 000006
【図５】
0003161699.tif 000007
【図６】
0003161699.tif 000008
【図７】
0003161699.tif 000009
【図８】
0003161699.tif 000010
【図９】
0003161699.tif 000011
【図１０】
0003161699.tif 000012
【図１１】
0003161699.tif 000013
【図１２】
0003161699.tif 000014
【図１３】
0003161699.tif 000015
【図１４】
0003161699.tif 000016
【図１５】
0003161699.tif 000017
【図１６】
0003161699.tif 000018